(57)【要約】【課題】美観を損ねることなく、より容易かつ安価に床材に電線などの配線を施設可能とする方法を提供すること。【解決手段】上部見切材と下部見切材を嵌め合わせてなる床材用見切材であって、前記床材用見切材が凹状の上部見切材と凸状の下部見切材とからなり、前記下部見切材の凸部先端に電線等の配線を施設可能な凹部を有することを特徴とする。事後的に床材と壁面の間だけでなく床材中央であっても隣接する２つの床材の間に設けるなど、必要な箇所に適宜見切材を設けることで、美観を損ねることなく、より容易かつ安価に電線などの配線が施設可能となる。【選択図】  図１
2007107327.tif 000002
【特許請求の範囲】
【請求項１】
上部見切材と下部見切材を嵌め合わせてなる床材用見切材であって、前記床材用見切材が凹状の上部見切材と凸状の下部見切材とからなり、前記下部見切材の凸部先端に電線等の配線を施設可能な凹部を有することを特徴とする床材用見切材。
【発明の詳細な説明】
【技術分野】
【０００１】
本発明は、住宅、店舗、事務所、幼稚園、保育園、老人介護施設、病院、医療施設、多目的ホール、ホテル、マンション、エントランス正面などの内外装を問わず、床の全面あるいは一部に床材を敷く際、端部の段差を解消するために使用する床材用見切材に関する。
【背景技術】
【０００２】
従来、電気等の配線の施設は二重床内部の防火区画に設けられ、事後的に設ける為には一旦剥がして再度設置する為、床材を、設置と取外しが可能とするため、複雑な構造としたり裏面に特別な金具をつけるといったことが必要であった。
【０００３】
また、枠材を貫通して電気等の配線を行い、壁と床との境界に設けられる幅木の内部に電気等の配線を行うことで、部屋の全周に亘って配線が可能かつ造改築が容易という方法も知られているが、事前に対応するように枠に穴を開ける必要があった。
【特許文献１】特公平７−８１３８９号公報
【特許文献２】特開２００１−２６９４１９号公報
【特許文献３】特開２００４−２０１３９８号公報
【特許文献４】特開平７−３３６８４７号公報
【特許文献５】特開２００２−１１２４２７号公報
【発明の開示】
【発明が解決しようとする課題】
【０００４】
本発明は前記問題点を解決するためになるなされたものであり、その課題とするところは、美観を損ねることなく、より容易かつ安価に床材に電線などの配線を施設可能とする方法を提供することを目的とする。
【課題を解決するための手段】
【０００５】
本発明は前記課題を解決するためになされたものであり、その請求項１記載の発明は、上部見切材と下部見切材を嵌め合わせてなる床材用見切材であって、前記床材用見切材が凹状の上部見切材と凸状の下部見切材とからなり、前記下部見切材の凸部先端に電線等の配線を施設可能な凹部を有することを特徴とする床材用見切材である。
【発明の効果】
【０００６】
請求項１記載の発明により、床材の段差を解消する見切材を上下２つの部材としてその内部に配線を設けることを可能とするので、事後的に床材と壁面の間だけでなく床材中央であっても隣接する２つの床材の間に設けるなど、必要な箇所に適宜見切材を設けることで、美観を損ねることなく、より容易かつ安価に電線などの配線が施設可能となる。
【発明を実施するための最良の形態】
【０００７】
図１に本発明の床材用見切材の一実施例の断面の構造を示す。床材用見切材１は凹状の上部見切材２と凸状の下部見切材３からなり、下部見切材３の凸部先端に電線等の配線４を施設可能な凹部による配線用空間５を設けて成り、これらは床材６を設置した端部などに適宜傾斜などで段差を解消するようにして設けられる。
本発明の床材用見切材１の材質としては、床材と同じ材質で良く、例えば熱可塑性樹脂単体、木粉樹脂含有熱可塑性樹脂などが使用可能である。
【０００８】
前記熱可塑性樹脂としては、ポリオレフィン系樹脂例えばポリエチレン、ポリプロピレン、ポリブテン、ポリイソプレン、エチレン−プロピレン共重合体、エチレン−酢酸ビニル共重合体、エチレン−αオレフィン共重合体、プロピレン−αオレフィン共重合体、エチレン−エチルアクリレート共重合体やそれらの酸変成物（接着性向上の目的で不飽和カルボン酸またはその無水物を共重合させたもの）、アイオノマー（オレフィン−不飽和カルボン酸共重合体の金属水和物）等が挙げられる。
また、ＡＢＳ樹脂（アクリロニトリル−ブタジエン−スチレン共重合体）、ポリスチレン樹脂、ポリアセタール樹脂、ポリエステル樹脂、共重合ポリエステル樹脂（通称ＰＥＴ−Ｇ）、非晶状態の結晶性ポリエステル（Ａ−ＰＥＴ）、ポリブチレンテレフタレート、ポリエチレンナフタレート等も使用可能であり、これらの中から選ばれる同種または異種の樹脂を適宜混合して使用できる。
異種の樹脂を組み合わせる場合には、互いによく相溶するかもしくは互いによく接着する樹脂の組み合わせであることが望ましいが、そうでない場合であっても、両者を相溶及び／または接着させるための相溶化剤及び／または接着剤の添加により混合後の物性が維持できれば使用可能である。この中では、比重が１未満のポリプロピレン樹脂が軽くて、リサイクル性もよいので望ましい。
【０００９】
また、これら熱可塑性樹脂１００重量部に対して、温度変化に対する寸法安定性を得る為に、木質系充填材を１０〜５０重量部ほど充填することが好適に行われる。１０重量部未満では温度変化に対しての寸法変化を押さえる改善が殆どなく、５０重量部を超えた場合は嵌合形状の自由度が少なくなり、表面がざらつき嵌合に悪影響が出る。
【００１０】
前記木質系充填材の素材としては、基本的には木質系基材から出る木粉を使用すればよいが、天然の木材を主原料として製造された粉状、粒状ないし短繊維状の充填剤であれば特に制限されるものではなく、従来公知のものから任意に選択が可能であるが、一般的には、木材をカッターミルなどによって破断し、これをボールミルやインペラーミルなどにより粉砕して微粉状にしたもの（木粉）など用いることができる。
【００１１】
前記木質系充填剤の平均粒径は特に制限されるものではないが、一般的には１〜２００μｍ、より好ましくは５〜１００μｍであることが望ましい。平均粒径が１μｍ未満のものは取り扱いが困難である上に、特に木質系充填材の配合量が多い場合には、樹脂中への分散状態が悪いと機械強度の低下の原因となる場合がある。また一方、２００μｍより大きいと、成形品の均質性、平面性、機械的強度が低下する原因となりやすい。
【００１２】
熱可塑性樹脂には木質系充填剤の他、必要に応じて例えば熱安定剤、酸中和剤、紫外線吸収剤、光安定剤、顔料または染料等の着色剤、木質系以外の有機系または無機系の充填剤、帯電防止剤、滑剤、造核剤、発泡剤、難燃剤、ブロッキング防止剤、半透明化のための光散乱剤、艶調整剤等の添加剤の１種以上を添加することもできる。
【００１３】
床材用見切材１の成形方法としては、例えば圧縮成形法、押出成形法、異形押出成形法、射出成形法、射出圧縮成形法、トランスファー成形法等の公知の各種の成形方法から、成形物の形状や寸法に合わせて適宜選択すればよい。形状も平板状、立体形状、中空形状、リブ形状など自由に選択が可能である。さらに、各種形に押し出したあとに、テノーナーやルーター加工して実形状を形成してもよい。
【００１４】
本発明の床材用見切材１の表面に、図示しないが熱可塑性樹脂化粧シートを積層しても良い。熱可塑性樹脂化粧シートの構成材料となる熱可塑性樹脂は、前記床材用見切材の熱可塑性樹脂と同様のものが使用可能であり、かつ各種の添加剤の１種以上を添加することができる。
【００１５】
前記熱可塑性樹脂化粧シートの具体的構成については特に制限されるものではなく、例えば透明または着色シートの表面に絵柄の印刷を施した単層化粧シート、着色シートの表面に絵柄の印刷を施し該印刷面にクリアーシートを例えばドライラミネート法、エクストルージョンラミネート法、熱ラミネート法などによって貼り合わせた複層化粧シート、透明シートの裏面に絵柄の印刷を施したバック刷り単層化粧シートなどから、用途に応じて適宜選択が可能である。なお、複層化粧シートの場合には、その各層を構成する熱可塑性樹脂としては前記樹脂系基材７に用いた熱可塑性樹脂と同種または同系の異種のものを使用するのが好ましいが、特にこれに限定されるものではなく、適用可能である。
【００１６】
熱可塑性樹脂化粧シートに施される印刷絵柄の意匠の種類は特に制限されるものではなく、例えば木目、石目、布目、抽象柄などから任意に選択可能であるが、特に木目意匠の化粧シートを採用すると、床材の切断・切削加工により露出する床材用見切材との違和感がなく、また印刷インキが木質材と同系色であれば、リサイクル時に合成樹脂系嵌合部の色調変化の問題がないので望ましい。
【００１７】
このとき、着色シートの採用及び／または隠蔽ベタ印刷層の形成などにより、化粧シートに十分な隠蔽性がある場合には、安定した意匠の再現が達成される利点があるが、一方逆に、熱可塑性樹脂化粧シートが透明性を有する場合には、熱可塑性樹脂化粧シートを透して木質系充填剤を含む合成樹脂系嵌合部の表面が見えることから、合成樹脂系嵌合部の木質感を生かした意匠表現が可能になる利点がある。
【００１８】
前記熱可塑性樹脂化粧シートへの意匠絵柄の印刷に用いる印刷インキのバインダーとしては、例えば硝化綿、セルロース、塩化ビニル−酢酸ビニル共重合体、ポリビニルブチラール、ポリウレタン、アクリル、ポリエステル系等の単独もしくは各変性物の中から適宜選定すればよい。これらは水性、溶剤系、エマルジョンタイプのいずれでも問題なく、また１液タイプでも硬化剤を使用した２液タイプでも任意に選定可能である。さらに紫外線や電子線等の照射によりインキを硬化させることも可能である。中でも最も一般的なものはイソシアネート化合物からなる硬化剤で硬化させる２液硬化型ウレタン樹脂系の印刷インキであり、特にポリオレフィン系樹脂への接着性に優れている。
【００１９】
これらバインダー以外には通常のインキに含まれている顔料、染料等の着色剤、体質顔料、溶剤、各種添加剤が添加されている。特によく用いられる顔料には縮合アゾ、不溶性アゾ、キナクリドン、イソインドリノン、アンスラキノン、イミダゾロン、フタロシアニン、カーボンブラック、コバルトブルー、酸化チタン、酸化鉄、酸化チタン被覆雲母等のパール顔料等がある。
【００２０】
意匠絵柄の印刷方法としては例えばグラビア印刷法、オフセット印刷法、グラビアオフセット印刷法、ドライオフセット印刷法、スクリーン印刷法、フレキソ印刷法、凸版印刷法、インクジェット印刷法、静電印刷法、転写印刷法等の従来公知の適宜の印刷法を用いることができる。また隠蔽ベタ印刷層等のようなベタ層を併用する場合には、例えばグラビアコート法、マイクログラビアコート法、ロールコート法、ナイフコート法、エアーナイフコート法、キスコート法、ロッドコート法、ダイコート法、リップコート法、コンマコート法、フローコート法、ディップコート法等の塗工方法を用いることもできる。
【００２１】
また、意匠絵柄の印刷の前に必要に応じて、被印刷シートの印刷面に例えばコロナ放電処理、プラズマ処理、オゾン処理、火炎処理、酸処理、アルカリ処理、プライマーまたはアンカー処理等の表面処理を施して、印刷インキとの接着性を向上させておくこともできる。
【００２２】
また、いずれの熱可塑性樹脂化粧シートにおいても、図示しないが床材用見切材１への貼り合わせのためのプライマーコートが裏面に施されていたり、表面保護や艶調整のためのトップコートや、エンボス法、ワイピング法、グロスマット法等による導管表現等が表面に施されていてもかまわない。
【００２３】
床材用見切材１と熱可塑性樹脂化粧シートとの積層方法については特に限定されることはなく、成形体の形状によって適当な積層方法を選択することができる。例えば平板状であれば、床材用見切材の表面及び／または化粧シートの裏面に接着剤を塗布し、ロールで貼り合わせるロールラミネート法など、異形押出成形などの長手方向に同じ形状をとる成形体であればラッピング加工法など、複雑な三次元面を有する成形体であれば真空プレスラミネート法などが利用できるが、ラッピング法が長い基材や生産性等で利点がある。１液湿気硬化型接着剤を１２０℃、２０ｇ／ｍ２程度塗布してラッピング法を行うことができる。
【００２４】
上部見切材、下部見切材の成形方法としては、前記樹脂を押し出し成形する方法が、継ぎ合わせが、呑込み、合决り、実矧ぎ、合决り実矧ぎ、呑込み又は嵌合形状（スナップフィット形状）の少なくとも一種の実加工を金属製受材、または、および樹脂系基材に施し、複雑な嵌合形状を形成するのに望ましい。ただし、削り出し加工であっても良い。押し出し成形であれば、特に長尺形状の見切材の成形が容易に可能である。
【００２５】
また、床材用見切材の嵌め合わせ部分の周辺に、隙間が開き難くなるように適宜ゴム弾性体を設ければ接合部の耐水性が良くなり、嵌合も容易なものとなる。
【実施例１】
【００２６】
ホモポリプロピレン樹脂９０重量部、マレイン酸変性ホモポリプロピレン樹脂１０重量部、木質系充填剤（木材をカッターミルで破断し、これをボールミルにより粉砕して微粉状にした平均粒径２０μｍの木粉）１００重量部を２軸押出混練機によって混合、ペレット化して、木質樹脂組成物を作製した。この木質樹脂組成物を異形押出成形法にて、図１の形状をもつ木粉樹脂含有熱可塑性樹脂からなる任意の長尺形状の上部見切材２、下部見切材３からなる床材用見切材１を作製した。
そして、厚み５ｍｍ×幅４５０ｍｍ×長さ３０００ｍｍの床材６を敷きつめた端部に下部見切材３を設置し、配線４を配線用空間５に設置した後上部見切材を嵌め合わせた。結果、配線を目立つことなく容易に設置することができた。
【産業上の利用可能性】
【００２７】
本発明により、住宅、店舗、事務所、幼稚園、保育園、老人介護施設、病院、医療施設、多目的ホール、ホテル、マンション、エントランス正面などの内外装を問わず床材に使う、樹脂系基材なの形状自由度が高く構造的に軽くて、耐水性が良く、更に、ＶＯＣ（揮発性有機化合物）の少なく、床材用見切材に関し、特に配線を簡易に施せて耐水性の良い床材用見切材により床を施工することが可能となる。
【図面の簡単な説明】
【００２８】
【図１】本発明の床材用見切材の一実施例の断面の構造を示す説明図である。
【符号の説明】
【００２９】
１…床材用見切材
２…上部見切材
３…下部見切材
４…配線
５…配線用空間
６…床材
【図１】
2007107327.tif 000003